(57)【要約】【課題】外部表示装置が接続された場合にユーザの快適な操作が可能な電子音楽装置およびタッチ操作制御方法を提供する。【解決手段】操作受付部２１は、表示部４０へのタッチ操作を受け付ける。内部制御部２２は、受け付けられたタッチ操作に基づいて、表示部４０の表示制御を含む電子音楽装置１の各種動作制御を行う。接続検出部２３は、接続部１４への外部表示装置５０の接続状態を検出する。外部制御部２４は、接続部１４に外部表示装置５０が接続された状態で、外部表示装置５０を制御する。操作受付部２１は、接続検出部２３により検出された接続状態に基づいて、タッチ操作の受付を制御する。【選択図】図３
2018116494.tif 000002
【特許請求の範囲】
【請求項１】
第１の表示面を有する表示部と、
前記第１の表示面へのタッチ操作を受け付ける操作受付手段と、
受け付けられたタッチ操作に基づいて前記表示部を制御する内部制御手段と、
第２の表示面を有する外部表示装置を接続可能な接続部と、
前記接続部への外部表示装置の接続状態を検出する接続検出手段と、
前記接続部に外部表示装置が接続された状態で、当該外部表示装置を制御する外部制御手段とを備え、
前記操作受付手段は、前記接続検出手段により検出された接続状態に基づいて、前記第１の表示面へのタッチ操作の受付を制御する、電子音楽装置。
【請求項２】
前記操作受付手段は、前記接続検出手段により検出された接続状態に基づいて、前記第１の表示面へのタッチ操作の受付を停止する、請求項１記載の電子音楽装置。
【請求項３】
前記接続部に接続された外部表示装置が、前記第２の表示面へのタッチ操作を受け付けるタッチ操作機能を有するか否かを判定する判定手段をさらに含み、
前記操作受付手段は、前記接続部に外部表示装置が接続されたことが検出された場合であって当該外部表示装置がタッチ操作機能を有すると判定された場合に、前記第１の表示面へのタッチ操作の受付を停止する、請求項２記載の電子音楽装置。
【請求項４】
前記外部制御手段は、前記接続部に外部表示装置が接続されたことが検出された場合であって当該外部表示装置がタッチ操作機能を有すると判定された場合に、予め定められたタッチ操作を促す較正画面を前記外部表示装置の前記第２の表示面に表示させ、
表示された較正画面に対するタッチ操作に基づいて、前記第２の表示面へのタッチ操作のための較正情報を生成する較正情報生成手段をさらに備える、請求項３記載の電子音楽装置。
【請求項５】
前記接続部に接続された外部表示装置を識別するための識別情報を取得する識別情報取得手段と、
生成された較正情報を取得された識別情報と関連付けて記憶する記憶手段とをさらに備える、請求項４記載の電子音楽装置。
【請求項６】
前記接続部に外部表示装置が接続されたことが検出された場合であって当該外部表示装置がタッチ操作機能を有しないと判定された場合に、前記操作受付手段は、前記第１の表示面へのタッチ操作を受け付け、前記外部制御手段は、前記第２の表示面上に予め定められた表示条件で画像を表示させる、請求項１〜５のいずれか一項に記載の電子音楽装置。
【請求項７】
前記内部制御手段は、検出された接続状態に基づいて、前記第１の表示面における画像の表示を停止する、請求項１〜６のいずれか一項に記載の電子音楽装置。
【請求項８】
表示部が有する第１の表示面へのタッチ操作に基づいて前記表示部を制御するステップと、
接続部に外部表示装置が接続された状態で、当該外部表示装置を制御するステップと、
前記接続部への外部表示装置の接続状態を検出するステップと、
検出された前記外部表示装置の接続状態に基づいて、前記第１の表示面へのタッチ操作の受付を制御するステップとを含む、タッチ操作制御方法。
【発明の詳細な説明】
【技術分野】
【０００１】
本発明は、電子音楽装置およびタッチ操作制御方法に関する。
【背景技術】
【０００２】
電子楽器およびミキサ等の電子音楽装置には、タッチパネルディスプレイが設けられることがある。また、このような電子音楽装置に、タッチ操作機能を有する外部表示装置が接続されることがある。例えば、操作方法の講習を行うために、タッチ操作可能な大型の表示面を有する外部表示装置が電子音楽装置に接続される。特許文献１には、タッチセンサを有する外部表示装置が接続可能な端末装置について記載されている。この端末装置においては、タッチセンサの性能が異なる外部表示装置が接続された場合に、外部表示装置でのタッチによる入力操作を支障なく処理することができる。
【先行技術文献】
【特許文献】
【０００３】
【特許文献１】特開２０１４−１４６２２８号公報
【発明の概要】
【発明が解決しようとする課題】
【０００４】
電子音楽装置は、種々の機能を実行するためにＣＰＵ（中央演算処理装置）およびメモリ等のハードウエアリソースならびにコンピュータプログラム等のソフトウエアリソースを備える。以下、ハードウエアリソースおよびソフトウエアリソースの一方または両方をリソースと呼ぶ。外部表示装置が電子音楽装置に接続された場合、外部表示装置の制御のためにリソースが消費される。それにより、電子音楽装置のリソースが不足することがある。その結果、電子音楽装置の本来の機能または外部表示装置の機能を十分に発揮することができない場合がある。それにより、ユーザの快適な操作性が損なわれる。
【０００５】
本発明の目的は、外部表示装置が接続された場合にユーザの快適な操作が可能な電子音楽装置およびタッチ操作制御方法を提供することである。
【課題を解決するための手段】
【０００６】
（１）本発明に係る電子音楽装置は、第１の表示面を有する表示部と、第１の表示面へのタッチ操作を受け付ける操作受付手段と、受け付けられたタッチ操作に基づいて表示部を制御する内部制御手段と、第２の表示面を有する外部表示装置を接続可能な接続部と、接続部への外部表示装置の接続状態を検出する接続検出手段と、接続部に外部表示装置が接続された状態で、当該外部表示装置を制御する外部制御手段とを備え、操作受付手段は、接続検出手段により検出された接続状態に基づいて、第１の表示面へのタッチ操作の受付を制御する。
【０００７】
この電子音楽装置においては、接続部への外部表示装置の接続状態に基づいてタッチ操作の受付が制御される。それにより、内部制御手段によるリソースの使用量が制御される。したがって、外部表示装置が接続された場合に、リソースの効率的な使用が可能となる。その結果、外部表示装置が接続された場合にユーザの快適な操作が可能となる。
【０００８】
（２）操作受付手段は、接続検出手段により検出された接続状態に基づいて、第１の表示面へのタッチ操作の受付を停止してもよい。この場合、第１の表示面へのタッチ操作の受付が停止されることによって内部制御手段によるリソースの使用量が低減される。それにより、内部制御手段および外部制御手段の両方により使用されるリソースの量の増加が抑制される。したがって、リソースの不足による操作性の低下が防止される。
【０００９】
（３）電子音楽装置は、接続部に接続された外部表示装置が、第２の表示面へのタッチ操作を受け付けるタッチ操作機能を有するか否かを判定する判定手段をさらに含み、操作受付手段は、接続部に外部表示装置が接続されたことが検出された場合であって当該外部表示装置がタッチ操作機能を有すると判定された場合に、第１の表示面へのタッチ操作の受付を停止してもよい。
【００１０】
外部表示装置がタッチ操作機能を有する場合には、外部表示装置がタッチ操作機能を有しない場合に比べて、外部制御手段により使用されるリソースの量が大きい。したがって、上記の構成により、ユーザによるタッチ操作を可能としつつリソースの不足を防止することができる。それにより、快適な操作性が確保される。
【００１１】
（４）外部制御手段は、接続部に外部表示装置が接続されたことが検出された場合であって当該外部表示装置がタッチ操作機能を有すると判定された場合に、予め定められたタッチ操作を促す較正画面を外部表示装置の第２の表示面に表示させ、電子音楽装置は、表示された較正画面に対するタッチ操作に基づいて、第２の表示面へのタッチ操作のための較正情報を生成する較正情報生成手段をさらに備えてもよい。この場合、ユーザに煩雑な操作を要求することなく外部表示装置に対する較正を行うことができる。
【００１２】
（５）電子音楽装置は、接続部に接続された外部表示装置を識別するための識別情報を取得する識別情報取得手段と、生成された較正情報を取得された識別情報と関連付けて記憶する記憶手段とをさらに備えてもよい。この場合、外部表示装置の較正情報が生成された後に同じまたは同種の外部表示装置が接続された場合に、再度較正情報を生成することなく、記憶された較正情報を用いて較正を行うことができる。それにより、較正を行うためのユーザの操作の負担が大幅に軽減される。
【００１３】
（６）接続部に外部表示装置が接続されたことが検出された場合であって当該外部表示装置がタッチ操作機能を有しないと判定された場合に、操作受付手段は、第１の表示面へのタッチ操作を受け付け、外部制御手段は、第２の表示面上に予め定められた表示条件で画像を表示させてもよい。
【００１４】
外部表示装置がタッチ操作機能を有しない場合には、外部表示装置がタッチ操作機能を有する場合に比べて、外部制御手段により使用されるリソースの量が小さい。したがって、上記の構成により、ユーザによるタッチ操作を可能としつつリソースの不足を防止することができるとともに外部表示装置の第２の表示面への画像の表示が可能となる。それにより、表示部および外部表示装置の利便性が向上する。
【００１５】
（７）内部制御手段は、検出された接続状態に基づいて、第１の表示面における画像の表示を停止してもよい。この場合、第１の表示面における画像の表示が停止されることによって内部制御手段によるリソースの使用量が低減される。それにより、内部制御手段および外部制御手段の両方により使用されるリソースの量の増加が抑制される。したがって、リソースの不足による操作性の低下が防止される。
【００１６】
（８）本発明に係るタッチ操作制御方法は、表示部が有する第１の表示面へのタッチ操作に基づいて表示部を制御するステップと、接続部に外部表示装置が接続された状態で、当該外部表示装置を制御するステップと、接続部への外部表示装置の接続状態を検出するステップと、検出された外部表示装置の接続状態に基づいて、第１の表示面へのタッチ操作の受付を制御するステップとを含む。
【００１７】
この方法によれば、外部表示装置が接続された場合にユーザの快適な操作が可能となる。
【発明の効果】
【００１８】
本発明によれば、外部表示装置が接続された場合にユーザの快適な操作が可能となる。
【図面の簡単な説明】
【００１９】
【図１】本実施の形態に係る電子音楽装置の構成を示すブロック図である。
【図２】電子音楽装置および外部表示装置の模式的平面図である。
【図３】電子音楽装置の機能的な構成を示すブロック図である。
【図４】外部表示装置の表示面に表示される較正画面の例を示す図である。
【図５】表示部の表示面および外部表示装置の表示面における画像の表示例について説明するための図である。
【図６】タッチ操作制御処理の一例を示すフローチャートである。
【図７】タッチ操作制御処理の一例を示すフローチャートである。
【発明を実施するための形態】
【００２０】
以下、本発明の実施の形態に係る電子音楽装置およびタッチ操作制御方法について図面を用いて詳細に説明する。
【００２１】
（１）電子音楽装置の構成
図１は、本実施の形態に係る電子音楽装置の構成を示すブロック図である。図１の電子音楽装置１は、楽曲の演奏および製作が可能な電子楽器である。電子音楽装置１は、演奏操作部２、検出回路３、設定操作子４、検出回路５、タッチパネルディスプレイ６、表示回路７および検出回路８を備える。演奏操作部２は、検出回路３を介してバス１９に接続され、ユーザの演奏動作に基づく演奏データが演奏操作部２により入力される。設定操作子４は、オンオフ操作されるスイッチ、回転操作またはスライド操作される可変抵抗器（ボリューム）等を含み、検出回路５を介してバス１９に接続される。設定操作子４は、音色の切り替え、音量の調整、電源のオンオフおよび各種設定を行うために用いられる。
【００２２】
タッチパネルディスプレイ６は、表示回路７および検出回路８を介してバス１９に接続される。タッチパネルディスプレイ６、表示回路７および検出回路８が表示部４０を構成する。表示部４０は、演奏および楽曲製作等に関する各種情報を表示可能であるとともに、ユーザによるタッチ操作を受付可能である。表示部４０へのタッチ操作により、演奏および楽曲製作等に関する種々の設定および動作指示が行われる。
【００２３】
電子音楽装置１は、ＲＡＭ（ランダムアクセスメモリ）９、ＲＯＭ（リードオンリメモリ）１０、ＣＰＵ（中央演算処理装置）１１、タイマ１２、記憶装置１３および接続部１４をさらに備える。ＲＡＭ９、ＲＯＭ１０、ＣＰＵ１１、記憶装置１３および接続部１４はバス１９に接続され、タイマ１２はＣＰＵ１１に接続される。ＲＡＭ９、ＲＯＭ１０およびＣＰＵ１１がコンピュータを構成する。また、本例では、ＲＡＭ９、ＲＯＭ１０およびＣＰＵ１１が電子音楽装置１におけるハードウエアリソースに相当する。
【００２４】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、システムプログラムおよびタッチ操作制御プログラム等のコンピュータプログラムを記憶する。本例では、これらのコンピュータプログラムが、電子音楽装置１におけるソフトウエアリソースに相当する。以下、電子音楽装置１におけるハードウエアリソースおよびソフトウエアリソースの少なくとも一方を単にリソースと呼ぶ。ＣＰＵ１１は、ＲＯＭ１０に記憶されたタッチ操作制御プログラムをＲＡＭ９上で実行することにより後述するタッチ操作制御処理を行う。タイマ１２は、現在時刻等の時間情報をＣＰＵ１１に与える。記憶装置１３は、ハードディスク、光学ディスク、磁気ディスクまたはメモリカード等の記憶媒体を含む。上記のタッチ操作制御プログラムが記憶装置１３に記憶されてもよい。
【００２５】
接続部１４は、他の装置と通信を行うためのインターフェースである。接続部１４には、外部表示装置５０が接続可能である。ハードディスク、光学ディスク、磁気ディスクまたはメモリカード等の記憶媒体を含む外部記憶装置が接続部１４に接続されてもよい。また、接続部１４が通信網に接続されてもよい。上記のタッチ操作制御プログラムは、接続部１４に接続された外部記憶装置に記憶されてもよい。また、タッチ操作制御プログラムは、コンピュータが読み取り可能な記録媒体に格納された形態で提供され、ＲＯＭ１０または記憶装置１３にインストールされてもよい。また、接続部１４が通信網に接続されている場合、通信網に接続されたサーバから配信されたタッチ操作制御プログラムがＲＯＭ１０または記憶装置１３にインストールされてもよい。
【００２６】
電子音楽装置１は、音源１６およびサウンドシステム１７をさらに備える。音源１６はバス１９に接続され、サウンドシステム１７は音源１６およびバス１９に接続される。音源１６は、演奏操作部２から入力される演奏データまたは記憶装置１３から与えられる楽曲データ等に基づいて音響信号を生成するとともにその音響信号に音響効果を付与する。
【００２７】
サウンドシステム１７は、デジタルアナログ（Ｄ／Ａ）変換回路、増幅器およびスピーカを含む。サウンドシステム１７は、音源１６から与えられる音響信号に基づく楽音を発生する。
【００２８】
図２は、電子音楽装置１および外部表示装置５０の模式的平面図である。図２に示すように、電子音楽装置１は、演奏操作部２として鍵盤２Ａを有する。電子音楽装置１の上面には、タッチパネルディスプレイ６の表示面４１が設けられる。接続部１４は、電子音楽装置１の背面に設けられる。
【００２９】
外部表示装置５０は、各種情報が表示される表示面５１を有する。外部表示装置５０は、例えば、接続ケーブル５２を介して電子音楽装置１の接続部１４に接続される。外部表示装置５０は、接続部１４に無線接続されてもよい。
【００３０】
外部表示装置５０は、表示面５１へのタッチ操作を受け付けるタッチ操作機能を有していてもよい。その場合、外部表示装置５０は、例えばタッチパネルディスプレイ装置である。タッチ操作機能を有する外部表示装置５０が電子音楽装置１の接続部１４に接続されている場合、ユーザは、表示部４０の表示面４１に対してタッチ操作を行う代わりに外部表示装置５０の表示面５１に対してタッチ操作を行うことにより、電子音楽装置１における種々の設定および動作指示を行うことができる。
【００３１】
本実施の形態では、図２の外部表示装置５０の接続部１４への接続状態および外部表示装置５０のタッチ操作機能の有無に基づいて、表示部４０へのタッチ操作の受付および表示部４０の表示が制御される。
【００３２】
本実施の形態では、外部表示装置５０が接続部１４に接続されていない場合、表示部４０へのタッチ操作が受け付けられるとともに、表示部４０に各種情報が表示される。また、外部表示装置５０が接続部１４に接続されている場合であって、かつ外部表示装置５０がタッチ操作機能を有しない場合においても、表示部４０へのタッチ操作が受け付けられるとともに、表示部４０に各種情報が表示される。一方、外部表示装置５０が接続部１４に接続されている場合であって、かつ外部表示装置５０がタッチ操作機能を有する場合、表示部４０へのタッチ操作が受け付けられず、かつ表示部４０における表示が停止される。
【００３３】
以下、表示部４０へのタッチ操作が受け付けられる状態をタッチ操作可能状態と呼び、表示部４０へのタッチ操作が受け付けられない状態をタッチ操作不可能状態と呼ぶ。また、表示部４０に各種情報を表示可能な状態を表示可能状態と呼び、表示部４０における表示が停止される状態を表示不可能状態と呼ぶ。
【００３４】
（２）電子音楽装置の機能的構成
図３は、電子音楽装置１の機能的な構成を示すブロック図である。図３に示すように、電子音楽装置１は、操作受付部２１、内部制御部２２、接続検出部２３、外部制御部２４、機能情報取得部２５、判定部２６、較正情報生成部２７および識別情報取得部２８を含む。図１のＣＰＵ１１がＲＯＭ１０または記憶装置１３に記憶されたタッチ操作制御プログラムを実行することにより図３における電子音楽装置１の各部の機能が実現される。
【００３５】
操作受付部２１は、表示部４０の表示面４１（図２）へのタッチ操作を受け付ける。内部制御部２２は、受け付けられたタッチ操作に基づいて、電子音楽装置１における種々の設定を行うとともに、表示部４０の表示制御を含む電子音楽装置１の各種動作制御を行う。接続検出部２３は、接続部１４への外部表示装置５０の接続状態を検出する。外部制御部２４は、接続部１４に外部表示装置５０が接続された状態で、接続部１４を通して外部表示装置５０を制御する。
【００３６】
機能情報取得部２５は、接続部１４を通して、接続部１４に接続された外部表示装置５０の機能情報を取得する。機能情報は、外部表示装置５０におけるタッチ操作機能の有無および表示面５１（図２）の表示性能（例えば解像度およびアスペクト比）を含む。判定部２６は、取得された機能情報に基づいて、接続部１４に接続された外部表示装置５０が、タッチ操作機能を有するか否かを判定する。
【００３７】
本実施の形態において、操作受付部２１は、接続検出部２３により検出された接続状態および判定部２６の判定結果に基づいて、タッチ操作の受付を制御する。具体的には、接続部１４に外部表示装置５０が接続されたことが検出された場合であって当該外部表示装置５０がタッチ操作機能を有すると判定された場合、操作受付部２１は、表示部４０へのタッチ操作の受付を停止する。
【００３８】
また、内部制御部２２および外部制御部２４は、接続検出部２３により検出された接続状態および判定部２６の判定結果に基づいて、表示部４０の表示および外部表示装置５０の表示をそれぞれ制御する。具体的には、接続部１４に外部表示装置５０が接続されたことが検出された場合であって当該外部表示装置５０がタッチ操作機能を有しないと判定された場合、外部制御部２４は、外部表示装置５０の表示面５１（図２）に、予め定められた表示条件で画像を表示させる。また、接続部１４に外部表示装置５０が接続されたことが検出された場合であって当該外部表示装置５０がタッチ操作機能を有すると判定された場合、内部制御部２２は、表示部４０における画像の表示を停止する。表示部４０および外部表示装置５０の表示制御については後述する。
【００３９】
また、外部制御部２４は、接続部１４に外部表示装置５０が接続されたことが検出された場合であって当該外部表示装置５０がタッチ操作機能を有すると判定された場合に、ユーザに予め定められたタッチ操作を促す較正画面を外部表示装置５０の表示面５１（図２）に表示させる。
【００４０】
後述のように、ユーザが較正画面に従って表示面５１へのタッチ操作を行うと、外部表示装置５０から接続部１４を通して較正情報生成部２７にタッチ座標情報が与えられる。較正情報生成部２７は、外部表示装置５０の表示面５１に表示された較正画面に対するタッチ操作に基づいて、表示面５１へのタッチ操作のための較正情報を生成する。較正情報は、外部制御部２４に与えられる。識別情報取得部２８は、接続部１４を通して、接続部１４に接続された外部表示装置５０を識別するための識別情報を取得する。識別情報は、外部表示装置５０の型式を識別するための製品名または型式番号等であってもよく、あるいは外部表示装置５０の個体を識別するための製造番号等であってもよい。較正情報生成部２７により生成された較正情報は、識別情報取得部２８により取得された識別情報と関連付けられて記憶装置１３に記憶される。
【００４１】
（３）較正画面
図４は、図２の外部表示装置５０の表示面５１に表示される較正画面の例を示す図である。図４の較正画面２００は、円形の較正用マークＤ１〜Ｄ５および文字情報ＴＸを含む。較正用マークＤ１〜Ｄ５は、ユーザがタッチすべき表示面５１上の位置をそれぞれ示す。文字情報ＴＸは、ユーザにタッチ操作を促すためのメッセージを表す。
【００４２】
本例において、較正用マークＤ１〜Ｄ５は、予め定められた較正座標情報に基づいて、較正画面２００の中央および四隅にそれぞれ表示される。較正座標情報は、電子音楽装置１固有の座標系で表される。ユーザは、文字情報ＴＸに従って、較正用マークＤ１〜Ｄ５に順にタッチする。ユーザがタッチした位置は、外部表示装置５０の検出回路（図示せず）により検出され、タッチ座標情報として外部表示装置５０から電子音楽装置１のＣＰＵ１１に与えられる。タッチ座標情報は、外部表示装置５０固有の座標系で表される。ＣＰＵ１１は、与えられたタッチ座標情報と、予め定められた較正座標情報とに基づいて、電子音楽装置１固有の座標系と外部表示装置５０固有の座標系との対応関係を表す較正情報を生成する。ＣＰＵ１１は、生成された較正情報に基づいて較正処理を行う。それにより、ＣＰＵ１１は、表示面５１におけるタッチ操作の受付および表示を適切に制御することが可能となる。
【００４３】
図４の例では５つの較正用マークＤ１〜Ｄ５が同時に表示されるが、較正用マークＤ１〜Ｄ５が１つずつ順に表示されてもよい。例えば、最初に較正用マークＤ１が表示され、ユーザが較正用マークＤ１をタッチすると、続けて較正用マークＤ２が表示される。ユーザが較正用マークＤ２をタッチすると、続けて較正用マークＤ３が表示される。このようにして、上記の例と同様に較正用マークＤ１〜Ｄ５のタッチ位置が順に検出され、タッチ座標情報が電子音楽装置１に送信される。
【００４４】
較正画面２００は、例えば、タッチ操作機能を有する外部表示装置５０が電子音楽装置１に接続された場合に自動的に表示される。また、タッチ操作機能を有する外部表示装置５０が電子音楽装置１に接続された状態で、ユーザが外部表示装置５０または電子音楽装置１を操作して較正処理の実行を指示することに応答して、外部表示装置５０の表示面５１に較正画面２００が表示されてもよい。
【００４５】
（４）画像の表示
図５は、図２の表示部４０の表示面４１および外部表示装置５０の表示面５１における画像の表示例について説明するための図である。図５の例では、電子音楽装置１の表示面４１の解像度が、外部表示装置５０の表示面５１の解像度と異なる。
【００４６】
図５（ａ）の例では、外部表示装置５０が電子音楽装置１に接続されていない状態で、表示部４０の表示面４１に画像ＩＭ１が表示されている。画像ＩＭ１は、表示面４１の解像度に対応した画素構成を有し、表示面４１の全体に表示される。この場合、表示部４０はタッチ操作可能状態である。
【００４７】
図５（ｂ）には、表示部４０の表示面４１に画像ＩＭ１が表示されている状態で、タッチ操作機能を有しない外部表示装置５０が接続部１４（図１）に接続された場合の例が示される。この場合、表示面４１での画像ＩＭ１の表示は維持される。外部表示装置５０の表示面５１には、画像ＩＭ１と共通の情報を含む画像ＩＭ２が表示される。画像ＩＭ２の画素構成は、画像ＩＭ１の画素構成と同じである。また、本例では、ドットバイドットで画像ＩＭ２が表示面５１に表示される。この場合、表示面４１の解像度と表示面５１の解像度とが互いに異なるため、画像ＩＭ２の画素構成は、表示面５１の解像度と対応しない。具体的には、表示面４１の解像度より表示面５１の解像度が高い。そのため、画像ＩＭ２は、表示面５１の一部の領域（本例では、表示面５１の周縁部を除く領域）に表示される。逆に、表示面５１の解像度が表示面４１の解像度よりも低い場合、画像ＩＭ２の一部のみが表示面５１に表示される。なお、画像ＩＭ２がドットバイドットで表示面５１に表示される代わりに、画像ＩＭ２が一定のアスペクト比でスケーリング（拡大または縮小）されて表示面５１に表示されてもよい。
【００４８】
図５（ｃ）の例では、表示部４０の表示面４１に画像ＩＭ１が表示されている状態で、タッチ操作機能を有する外部表示装置５０が電子音楽装置１に接続された場合の例が示される。この場合、表示面４１における画像ＩＭ１の表示が停止される。また、外部表示装置５０の表示面５１に画像ＩＭ１と共通の情報を含む画像ＩＭ３が表示される。画像ＩＭ３の画素構成は、表示面５１の解像度と対応している。そのため、画像ＩＭ３は、表示面５１の全体に表示される。
【００４９】
画像ＩＭ３は、表示面５１の解像度に基づいて画像ＩＭ１が補正されることによって得られる。例えば、表示されるべき各画像について、複数の解像度にそれぞれ対応する複数のレイアウトが予め用意される。タッチ操作機能を有する外部表示装置５０が接続されると、表示面５１の解像度と一致するまたは近い解像度に対応するレイアウトが選択され、表示面５１に表示される画像が、選択されたレイアウトとなるように補正される。
【００５０】
このように、電子音楽装置１にタッチ操作機能を有しない外部表示装置５０が接続された場合には、表示部４０の表示面４１に表示される画像が、補正されることなく、または単純なスケーリングのみが施されて外部表示装置５０の表示面５１に表示される。この場合、表示面５１に画像を表示させるためのリソースの使用量が抑制される。したがって、リソースの不足を防止しつつ、表示部４０をタッチ操作可能状態でかつ表示可能状態に維持することができ、かつ外部表示装置５０の表示面５１に画像を表示させることができる。また、スケーリングが行われる場合には、外部表示装置５０の表示面５１のサイズに応じた画像を表示させることができる。一方、スケーリングが行われない場合には、スケーリングによる画像の劣化を防止することができる。
【００５１】
このような制御が行われることにより、電子音楽装置１の使用方法等のデモンストレーションを容易かつ適切に行うことができる。具体的には、説明者が表示部４０に表示される画像を見てタッチ操作を行いながら説明を行うことができ、一方で表示部４０に表示される画像を外部表示装置５０に表示させることにより、他の複数の参加者が当該画像を見ながら説明者による説明を聞くことができる。
【００５２】
一方、電子音楽装置１にタッチ操作機能を有する外部表示装置５０が接続された場合には、表示部４０がタッチ操作不可能状態でかつ表示不可能状態となる。この場合、表示部４０におけるタッチ操作の受付および表示のためにリソースが使用されない。それにより、リソースの不足を防止しつつ、外部表示装置５０の表示面５１に表示性能に応じた画像を表示させることができ、かつ外部表示装置５０のタッチ操作機能を維持することができる。この場合、ユーザが手元の外部表示装置５０における表示を見ながら外部表示装置５０へのタッチ操作を行うことができる。なお、タッチ操作機能を有する外部表示装置５０が接続された場合においても、画像ＩＭ３が一定のアスペクト比でスケーリング（拡大または縮小）されて表示面５１に表示されてもよい。その場合、リソースの消費がさらに抑制される。
【００５３】
（５）タッチ操作制御処理
図６および図７は、図１の電子音楽装置１におけるタッチ操作制御処理の一例を示すフローチャートである。図６および図７のタッチ操作制御処理は、図１のＣＰＵ１１がＲＯＭ１０または記憶装置１３に記憶されたタッチ操作制御プログラムを実行することにより行われる。
【００５４】
接続検出部２３は、外部表示装置５０の接続部１４への接続状態が変化したか否かを判定する（ステップＳ１）。この場合、外部表示装置５０が接続部１４に接続されるかまたは外部表示装置５０が接続部１４から取り外されると、接続状態が変化したと判定される。接続状態が変化していない場合、接続検出部２３は、ステップＳ１を繰り返す。接続状態が変化した場合、接続検出部２３は、接続部１４に外部表示装置５０が接続されたか否かを判定する（ステップＳ２）。
【００５５】
接続部１４に外部表示装置５０が接続された場合、機能情報取得部２５が、接続された外部表示装置５０の機能情報を取得するとともに（ステップＳ３）、識別情報取得部２８が、接続された外部表示装置５０の識別情報を取得する（ステップＳ４）。次に、外部制御部２４が、表示部４０の表示面４１に表示される画像と同じ画像を外部表示装置５０の表示面５１に表示させる（ステップＳ５）。この時点では、表示面５１に表示される画像は補正されていない。
【００５６】
次に、判定部２６が、ステップＳ３で取得された機能情報に基づいて、外部表示装置５０がタッチ操作機能を有するか否かを判定する（ステップＳ６）。外部表示装置５０がタッチ操作機能を有する場合、操作受付部２１がタッチ操作の受付を停止するとともに（ステップＳ７）、内部制御部２２が表示部４０における表示を停止する（ステップＳ８）。これにより、表示部４０がタッチ操作不可能状態でかつ表示不可能状態となる。
【００５７】
次に、較正情報生成部２７は、ステップＳ４で取得された識別情報と同じかまたは同種の外部表示装置５０を示す識別情報が記憶装置１３に記憶されているか否かを判定する（図７のステップＳ９）。今回接続された外部表示装置５０と同じかまたは同種の外部表示装置５０が以前に接続されたことがある場合、後述のステップＳ１２，Ｓ１３において、その外部表示装置５０に対する較正情報が生成されかつ識別情報と関連付けて記憶装置１３に記憶されている。ステップＳ９において、該当の識別情報が記憶装置１３に記憶されている場合、較正情報生成部２７は、当該識別情報に関連付けられた較正情報を記憶装置１３から読み出す（ステップＳ１０）。
【００５８】
一方、ステップＳ９において、該当の識別情報が記憶装置１３に記憶されていない場合、外部制御部２４が、外部表示装置５０の表示面５１に較正画面を表示させる（ステップＳ１１）。ユーザは、較正画面に従って表示面５１へのタッチ操作を行う。較正情報生成部２７は、ユーザのタッチ操作に基づいて、較正情報を生成する（ステップＳ１２）。次に、較正情報生成部２７は、生成した較正情報をステップＳ４で取得された識別情報と関連付けて記憶装置１３に記憶させる（ステップＳ１３）。
【００５９】
外部制御部２４は、ステップＳ１０で読み出された較正情報、またはステップＳ１２で生成された較正情報に基づいて、外部表示装置５０の較正処理を行う（ステップＳ１４）。また、外部制御部２４は、ステップＳ３で取得された機能情報に基づいて、外部表示装置５０の表示面５１に対応するように、表示面５１に表示される画像を補正する（ステップＳ１５）。その後、接続検出部２３がステップＳ１に戻る。
【００６０】
図６のステップＳ２において、外部表示装置５０が接続されていない場合、すなわち外部表示装置５０が接続部１４から取り外された場合、内部制御部２２は、直前まで接続されていた外部表示装置５０がタッチ操作機能を有していたか否かを判定する（ステップＳ２１）。例えば、外部表示装置５０が接続部１４に接続された際に、上記のステップＳ３で取得される機能情報が記憶装置１３に保存される。内部制御部２２は、保存された機能情報に基づいて、ステップＳ２１の判定を行う。直前まで接続されていた外部表示装置５０がタッチ操作機能を有していた場合、外部表示装置５０が接続部１４から取り外された時点では、表示部４０がタッチ操作不可能状態でありかつ表示不可能状態である。そこで、操作受付部２１は、表示部４０へのタッチ操作の受付を再開するとともに（ステップＳ２２）、表示部４０における表示を再開する（ステップＳ２３）。これにより、表示部４０がタッチ操作可能状態でかつ表示可能状態となる。次に、内部制御部２２は、記憶装置１３から内部較正情報を読み出し（ステップＳ２４）、読み出した内部較正情報に基づいて較正処理を行う（ステップＳ２５）。
【００６１】
本例では、タッチ操作機能を有する外部表示装置５０が接続部１４に接続されている場合に、制御用のハードウエア（例えばＣＰＵ１１）が表示部４０の動作制御を行わずに外部表示装置５０の動作制御を継続的に行う。そのため、タッチ操作機能を有する外部表示装置５０が接続部１４から取り外された直後には、ＲＡＭ９のワークエリアから表示部４０の動作制御のための情報がほとんど消去されており、表示部４０の動作制御を適切に行うことができない場合がある。そこで、本例では、表示部４０の動作制御のための内部較正情報が記憶装置１３に予め記憶されている。タッチ操作機能を有する外部表示装置５０が接続部１４から取り外された直後には、内部較正情報に基づいて較正処理を行うことにより、表示部４０におけるタッチ操作の受付および表示を適切に行うことができる。なお、外部表示装置５０が接続部１４から取り外されることに応答して、あるいはユーザが電子音楽装置１を操作して較正処理の実行を指示することに応答して、図４の較正画面２００と同様の較正画面が表示部４０の表示面４１に表示されてもよい。この場合、較正画面に対するユーザのタッチ操作に基づいて内部較正情報が生成され、生成された内部較正情報を用いて較正処理が行われる。
【００６２】
ステップＳ２１において、直前まで接続されていた外部表示装置５０がタッチ操作機能を有していなかった場合、その時点で表示部４０がタッチ操作可能状態でかつ表示可能状態である。そのため、表示部４０の状態がそのまま維持され、接続検出部２３がステップＳ１に戻る。
【００６３】
（６）実施の形態の効果
本実施の形態に係る電子音楽装置１においては、接続部１４への外部表示装置５０の接続状態に基づいてタッチ操作の受付が制御される。それにより、内部制御部２２によるリソースの使用量が制御される。したがって、外部表示装置５０が接続された場合に、リソースの効率的な使用が可能となる。その結果、外部表示装置５０が接続された場合にユーザの快適な操作が可能となる。
【００６４】
また、本実施の形態では、タッチ操作機能を有する外部表示装置５０が接続部１４に接続された場合に、表示部４０へのタッチ操作の受付が停止されるとともに、表示部４０の表示が停止される。それにより、表示部４０へのタッチ操作の受付および表示部４０における表示のためにリソースが使用されない。したがって、外部表示装置５０へのタッチ操作を可能としつつリソースの不足を防止することができる。その結果、快適な操作性が確保される。
【００６５】
また、本実施の形態では、タッチ操作機能を有する外部表示装置５０が接続部１４に接続された場合に、予め定められたタッチ操作を促す較正画面が外部表示装置５０の表示面５１に表示され、表示された較正画面に対するタッチ操作に基づいて、外部表示装置５０のタッチ操作のための較正情報が生成される。これにより、ユーザに煩雑な操作を要求することなく、外部表示装置５０に対する較正処理を行うことができる。
【００６６】
また、生成された較正情報が、外部表示装置５０の識別情報と関連付けられて記憶装置１３に記憶される。これにより、外部表示装置５０の較正情報が生成された後に同じまたは同種の外部表示装置５０が接続された場合に、再度較正情報を生成することなく、記憶された較正情報を用いて較正処理を行うことができる。それにより、較正処理のためのユーザの操作の負担が大幅に軽減される。
【００６７】
また、本実施の形態では、タッチ操作機能を有しない外部表示装置５０が接続部１４に接続された場合、表示部４０へのタッチ操作が受け付けられ、かつ外部表示装置５０の表示面５１に予め定められた表示条件で画像が表示される。これにより、表示面５１に画像を表示させるためのリソースの使用量が低減される。したがって、表示部４０へのタッチ操作を可能としつつリソースの不足を防止することができ、かつ外部表示装置５０の表示面５１への画像の表示が可能となる。それにより、表示部４０および外部表示装置５０の利便性が向上する。
【００６８】
（７）他の実施の形態
（ａ）上記実施の形態では、タッチ操作機能を有する外部表示装置５０が接続部１４に接続された場合に表示部４０へのタッチ操作の受付が停止されるが、タッチ操作の受付の制御はこれに限定されない。例えば、タッチ操作機能を有する外部表示装置５０が接続部１４に接続された場合に、表示部４０へのタッチ操作が制限されてもよい。具体的には、一定時間内に受け付け可能なタッチ操作の回数が制限されてもよく、あるいは予め定められたタッチ操作のみが受け付けられてもよい。また、リソースが小さい場合には、タッチ操作機能を有しない外部表示装置５０が接続部１４に接続された場合にも表示部４０へのタッチ操作の受付が停止または制限されてもよい。
【００６９】
（ｂ）上記実施の形態では、タッチ操作機能を有する外部表示装置５０が接続部１４に接続された場合に表示部４０の表示が停止されるが、リソースが十分に確保されている場合には、タッチ操作機能を有する外部表示装置５０が接続部１４に接続された場合でも表示部４０の表示が維持されてもよい。また、上記実施の形態では、タッチ操作機能を有しない外部表示装置５０が接続部１４に接続された場合に、表示部４０の表示面４１に表示される画像と同じ画素構成の画像が外部表示装置５０の表示面５１に表示されるが、リソースが十分に確保されている場合には、外部表示装置５０の表示性能に基づいて補正された画像が表示面５１に表示されてもよい。
【００７０】
（ｃ）上記実施の形態では、図３の各機能部がＣＰＵ１１等のハードウエアおよびタッチ操作制御プログラム等のソフトウエアにより実現されるが、これらの機能部が電子回路等のハードウエアにより実現されてもよい。
【００７１】
（ｄ）上記実施の形態は、本発明が電子鍵盤楽器に適用された例であるが、タッチ操作可能な表示部を有しかつ外部表示装置を接続可能な他の電子音楽装置に本発明が適用されてもよい。例えば、電子ギターおよび電子ドラム等の他の電子楽器に本発明が適用されてもよい。その場合、楽器本体と表示部とが別体であってもよい。また、他の電子音楽装置として、ミキサまたはシーケンサ装置（ハードウェアシーケンサ）等に本発明が適用されてもよい。
【００７２】
（８）請求項の各構成要素と実施の形態の各部との対応
以下、請求項の各構成要素と実施の形態の各部との対応の例について説明するが、本発明は下記の例に限定されない。上記実施の形態における電子音楽装置１が電子音楽装置の例であり、外部表示装置５０が外部表示装置の例であり、表示部４０が表示部の例であり、操作受付部２１が操作受付手段の例であり、内部制御部２２が内部制御手段の例であり、接続部１４が接続部の例であり、接続検出部２３が接続検出手段の例であり、外部制御部２４が外部制御手段の例であり、判定部２６が判定手段の例であり、較正情報生成部２７が較正情報生成手段の例であり、識別情報取得部２８が識別情報取得手段の例であり、記憶装置１３が記憶手段の例である。また、表示面４１が第１の表示面の例であり、表示面５１が第２の表示面の例である。請求項の各構成要素として、請求項に記載されている構成または機能を有する他の種々の要素を用いることができる。
【産業上の利用可能性】
【００７３】
本発明は、種々の電子音楽装置に利用可能である。
【符号の説明】
【００７４】
１…電子音楽装置，２…演奏操作部，３，８…検出回路，４…設定操作子，５…検出回路，６…タッチパネルディスプレイ，７…表示回路，８…検出回路，９…ＲＡＭ，１０…ＲＯＭ，１１…ＣＰＵ，１２…タイマ，１３…記憶装置，１４…接続部，１６…音源，１７…サウンドシステム，４１，５１…表示面，２１…操作受付部，２２…内部制御部，２３…接続検出部，２４…外部制御部，２５…機能情報取得部，２６…判定部，２７…較正情報生成部，２８…識別情報取得部，４０…表示部，５０…外部表示装置
【図１】
2018116494.tif 000003
【図２】
2018116494.tif 000004
【図３】
2018116494.tif 000005
【図４】
2018116494.tif 000006
【図５】
2018116494.tif 000007
【図６】
2018116494.tif 000008
【図７】
2018116494.tif 000009